(57)【要約】  パラメータ設定部（４２）は、視聴中の番組ジャンルに対応した切換パラメータを、処理に用いる切換パラメータとして設定する。適合判定部（４３）は、受信状態が視聴中の放送方式に適合しているかを判定する。一致判定部（４４）は、視聴中の放送方式が、パラメータ設定部（４２）により設定された切換パラメータが示す優先放送方式に一致しているかを判定する。切換判定部（４５）は、適合判定部（４３）による判定結果が不適合かつ一致判定部（４４）による判定結果が不一致の場合に、パラメータ設定部（４２）により設定された切換パラメータが即時切換を示していれば切換必要と判定し、当該切換パラメータが抑制切換を示しており、受信状態が視聴中の放送方式に持続的に不適合であれば切換必要と判定する。
2018078689.tif 000002
【特許請求の範囲】
【請求項１】
第１の放送方式と、当該第１の放送方式と同じ内容の番組を放送する当該第１の放送方式よりも高品位な第２の放送方式とを切換える移動体受信機であって、
視聴中の番組ジャンルに対応した切換パラメータを、処理に用いる切換パラメータとして設定するパラメータ設定部と、
受信状態情報を用いて、受信状態が視聴中の放送方式に適合しているかを判定する適合判定部と、
視聴中の放送方式が、前記パラメータ設定部により設定された切換パラメータが示す優先放送方式に一致しているかを判定する一致判定部と、
前記適合判定部による判定結果が不適合かつ前記一致判定部による判定結果が不一致の場合に、前記パラメータ設定部により設定された切換パラメータが即時切換を示していれば切換必要と判定し、当該切換パラメータが抑制切換を示しており、経時的に得られた複数の受信状態情報によって受信状態が視聴中の放送方式に持続的に不適合であれば切換必要と判定する切換判定部と、
前記切換判定部が切換必要と判定した場合に、放送方式の切換を指示する信号を出力する切換指示部とを備えることを特徴とする移動体受信機。
【請求項２】
ユーザによる番組ジャンルに対応した切換パラメータの入力を受け付けるパラメータ受付部を備えることを特徴とする請求項１記載の移動体受信機。
【請求項３】
前記パラメータ設定部は、番組ジャンルに対応して設定した切換パラメータが、車両情報に応じたものに変更可能とされる場合に、処理に用いる切換パラメータを車両情報に対応した切換パラメータに設定し直すことを特徴とする請求項１記載の移動体受信機。
【請求項４】
ユーザによる車両情報に対応した切換パラメータの入力を受け付けるパラメータ受付部を備えることを特徴とする請求項３記載の移動体受信機。
【請求項５】
前記第１の放送方式は１セグメント放送であり、前記第２の放送方式は１２セグメント放送であることを特徴とする請求項１記載の移動体受信機。
【請求項６】
車両に搭載されていることを特徴とする請求項１記載の移動体受信機。
【請求項７】
第１の放送方式と、当該第１の放送方式と同じ内容の番組を放送する当該第１の放送方式よりも高品位な第２の放送方式とを切換える移動体受信機の放送方式切換方法であって、
パラメータ設定部が、視聴中の番組ジャンルに対応した切換パラメータを、処理に用いる切換パラメータとして設定するパラメータ設定ステップと、
適合判定部が、受信状態情報を用いて、受信状態が視聴中の放送方式に適合しているかを判定する適合判定ステップと、
一致判定部が、視聴中の放送方式が、前記パラメータ設定ステップにより設定された切換パラメータが示す優先放送方式に一致しているかを判定する一致判定ステップと、
切換判定部が、前記適合判定ステップによる判定結果が不適合かつ前記一致判定ステップによる判定結果が不一致の場合に、前記パラメータ設定ステップにより設定された切換パラメータが即時切換を示していれば切換必要と判定し、当該切換パラメータが抑制切換を示しており、経時的に得られた複数の受信状態情報によって受信状態が視聴中の放送方式に持続的に不適合であれば切換必要と判定する切換判定ステップと、
切換指示部が、前記切換判定ステップにより切換必要と判定された場合に、放送方式の切換を指示する信号を出力する切換指示ステップとを備えることを特徴とする移動体受信機の放送方式切換方法。
【発明の詳細な説明】
【技術分野】
【０００１】
この発明は、移動体に搭載されて、放送方式を切換可能な移動体受信機に関するものである。
【背景技術】
【０００２】
異なる放送方式で、同じ内容の番組を同時並行的に放送する、いわゆるサイマル放送が知られている。例えば、日本方式の地上デジタルテレビ放送の規格であるＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）では、１チャンネル当たりの周波数帯域幅が１３セグメントに分かれており、ハイビジョン放送向けに１２セグメント、移動体受信機向けに１セグメントが割り当てられて、サイマル放送が行われている。１２セグメント放送は、高品質の映像及び音声を伝送することができるが、移動しながらの受信にはあまり適していない。一方、１セグメント放送は、低品質の映像及び音声の伝送とはなるが、移動しながらの受信に適している。このため、移動体受信機には、状況に応じて１２セグメント放送と１セグメント放送とを自動で切換える機能を備えたものもある。【０００３】
例えば特許文献１には、視聴中の番組ジャンルに応じて、１２セグメント放送と１セグメント放送とを切換えるデジタル放送受信装置が記載されている。
【先行技術文献】
【特許文献】
【０００４】
【特許文献１】特開２０１４―１６５６８７号公報
【発明の概要】
【発明が解決しようとする課題】
【０００５】
しかしながら、上記特許文献１のデジタル放送受信装置では、１２セグメント放送又は１セグメント放送のいずれの受信モードにするのかが、視聴中の番組ジャンルだけを基準に決定されてしまう。したがって、番組ジャンルによっては、受信状態が悪い場合でも１２セグメント放送へ切換わったり、反対に受信状態が良い場合でも１セグメント放送へ切換わったりしてしまうという問題があった。【０００６】
この発明は、上記のような課題を解決するためになされたもので、受信状態も考慮して番組ジャンルに応じた放送方式に切換えることができる移動体受信機を得ることを目的とする。
【課題を解決するための手段】
【０００７】
この発明に係る移動体受信機は、第１の放送方式と、当該第１の放送方式と同じ内容の番組を放送する当該第１の放送方式よりも高品位な第２の放送方式とを切換える移動体受信機であって、視聴中の番組ジャンルに対応した切換パラメータを、処理に用いる切換パラメータとして設定するパラメータ設定部と、受信状態情報を用いて、受信状態が視聴中の放送方式に適合しているかを判定する適合判定部と、視聴中の放送方式が、パラメータ設定部により設定された切換パラメータが示す優先放送方式に一致しているかを判定する一致判定部と、適合判定部による判定結果が不適合かつ一致判定部による判定結果が不一致の場合に、パラメータ設定部により設定された切換パラメータが即時切換を示していれば切換必要と判定し、当該切換パラメータが抑制切換を示しており、経時的に得られた複数の受信状態情報によって受信状態が視聴中の放送方式に持続的に不適合であれば切換必要と判定する切換判定部と、切換判定部が切換必要と判定した場合に、放送方式の切換を指示する信号を出力する切換指示部とを備えることを特徴とするものである。
【発明の効果】
【０００８】
この発明によれば、受信状態も考慮して番組ジャンルに応じた放送方式に切換えることができる。
【図面の簡単な説明】
【０００９】
【図１】この発明の実施の形態１に係る移動体受信機の構成を示す図である。
【図２Ａ】番組ジャンルの分類を抜粋した表である。
【図２Ｂ】番組ジャンルの分類を抜粋した表である。
【図２Ｃ】番組ジャンルの分類を抜粋した表である。
【図２Ｄ】番組ジャンルの分類を抜粋した表である。
【図２Ｅ】番組ジャンルの分類を抜粋した表である。
【図２Ｆ】番組ジャンルの分類を抜粋した表である。
【図２Ｇ】番組ジャンルの分類を抜粋した表である。
【図２Ｈ】番組ジャンルの分類を抜粋した表である。
【図３】切換パラメータテーブルを示す表である。
【図４】図４Ａ及び図４Ｂは、この発明の実施の形態１に係る移動体受信機の制御部のハードウェア構成例を示す図である。
【図５】この発明の実施の形態１に係る移動体受信機の処理を示すフローチャートである。
【図６】この発明の実施の形態１に係る移動体受信機の処理を示すフローチャートである。
【図７】この発明の実施の形態２に係る移動体受信機の構成を示す図である。
【図８】切換パラメータテーブルを示す表である。
【図９】切換パラメータテーブルを示す表である。
【図１０】この発明の実施の形態２に係る移動体受信機の処理を示すフローチャートである。
【図１１】この発明の実施の形態２に係る移動体受信機の処理を示すフローチャートである。
【発明を実施するための形態】
【００１０】
以下、この発明をより詳細に説明するために、この発明を実施するための形態について、添付の図面に従って説明する。
実施の形態１．
図１に、この発明の実施の形態１に係る移動体受信機１の構成図を示す。以下では、移動体受信機１が、第１の放送方式である１セグメント放送（以下、１セグと称す）と第２の放送方式である１２セグメント放送（以下、１２セグと称す）とを含んだＩＳＤＢ−Ｔ規格の地上デジタルテレビ放送の受信が可能な受信機である場合を例に説明する。
【００１１】
第１の放送方式である１セグは、低品質の映像及び音声の伝送とはなるが、移動しながらの受信に適しており、１２セグに比べて低品位の放送方式である。第２の放送方式である１２セグは、高品質の映像及び音声を伝送することができるが、移動しながらの受信にはあまり適しておらず、１セグに比べて高品位の放送方式である。ＩＳＤＢ−Ｔ規格の地上デジタルテレビ放送は、１２セグと１セグとで同じ内容の番組を放送する。
移動体受信機１は、移動体に搭載されて当該移動体の移動に伴い移動する。移動体は、例えば車両、船舶、航空機、電車、また、移動体受信機１を携帯して移動する人等である。以下では、移動体受信機１が、車両に搭載された場合を例に説明する。
【００１２】
移動体受信機１は、チューナ部２と、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調部３と、制御部４と、デコード部５と、記憶部６と、操作受付部７とを有する。移動体受信機１は、アンテナ１１０と出力機１２０とユーザ操作機１３０と接続されている。なお、移動体受信機１と出力機１２０との接続、及び、移動体受信機１とユーザ操作機１３０との接続は、有線接続に限らず無線接続であってもよい。
【００１３】
アンテナ１１０は、放送波を受信して、移動体受信機１に受信信号を出力する。
チューナ部２は、アンテナ１１０が出力した受信信号から、ユーザが選択した番組の放送局に対応する信号を抽出し、当該信号をデジタル信号に変換して、ＯＦＤＭ復調部３に出力する。
ＯＦＤＭ復調部３は、チューナ部２が出力したデジタル信号をＯＦＤＭ復調して、ＴＳ（Ｔｒａｎｓｐｏｒｔ  Ｓｔｒｅａｍ）を制御部４に出力する。
【００１４】
制御部４は、ＯＦＤＭ復調部３が出力したＴＳを、映像データと音声データと付加情報とに分離する。制御部４は、映像データと音声データとをデコード部５に出力する。また、制御部４は、分離した付加情報の中で必要な付加情報を抽出して、記憶部６に格納する。付加情報の中には、天気予報、交通情報、字幕情報等が含まれており、例えば移動体受信機１が字幕非対応の機種である場合、字幕情報は必要な付加情報としては抽出されない。
制御部４が行う他の処理等、制御部４の詳細については、後述する。
【００１５】
デコード部５は、制御部４が出力した映像データと音声データとをデコードし、出力機１２０に出力する。
出力機１２０は、ディスプレイ及びスピーカを備え、デコード部５が出力したデコード済みの映像データと音声データとを用いて、ユーザにテレビ映像及びテレビ音声を提供する。
【００１６】
ユーザによる番組の選択は、ユーザ操作機１３０を介して行われる。ユーザ操作機１３０は、ユーザによって操作され、ユーザが視聴したいと選択した番組の放送局を示すユーザ操作信号を、移動体受信機１に出力する。ユーザ操作機１３０は、例えば、出力機１２０と一体的に備えられた操作ボタン又はタッチパネル、又は、リモコンである。
【００１７】
操作受付部７は、ユーザ操作機１３０が出力したユーザ操作信号を、制御部４に出力する。
ここで、制御部４の詳細について説明する。制御部４は、受信処理部４１と、パラメータ設定部４２と、適合判定部４３と、一致判定部４４と、切換判定部４５と、切換指示部４６と、パラメータ受付部４７とを有する。
【００１８】
受信処理部４１は、操作受付部７が出力したユーザ操作信号が示す放送局を選局するよう、チューナ部２に制御信号を出力する。チューナ部２による選局後、受信処理部４１は、ＯＦＤＭ復調部３が出力したＴＳを、映像データと音声データと付加情報とに分離する。そして、受信処理部４１は、映像データと音声データとをデコード部５に出力し、必要な付加情報を記憶部６に格納する。また、受信処理部４１は、付加情報の中からＥＩＴ（Ｅｖｅｎｔ  Ｉｎｆｏｒｍａｔｉｏｎ  Ｔａｂｌｅ）情報を抽出し、パラメータ設定部４２に出力する。
ＥＩＴ情報には、番組ジャンルについての情報が含まれている。図２Ａ〜図２Ｈは、ＩＳＤＢ−Ｔ規格の地上デジタルテレビ放送で規定されている番組ジャンルの分類を抜粋した表である。
【００１９】
パラメータ設定部４２は、受信処理部４１が出力したＥＩＴ情報を用いて、視聴中の番組ジャンルを取得する。また、パラメータ設定部４２は、切換パラメータテーブルを用いて、視聴中の番組ジャンルに対応した切換パラメータを、処理に用いる切換パラメータとして設定する。
切換パラメータテーブルは、記憶部６に予め格納されている。図３は、切換パラメータテーブルの一例を示す表である。切換パラメータテーブルは、番組ジャンルと切換パラメータとを対応付けたテーブルＴ１と、切換パラメータと優先放送方式及び切換タイプとを対応付けたテーブルＴ２とから構成されている。
なお、図３に示すテーブルＴ１では、番組ジャンルの大分類ごとに切換パラメータが設定されているが、同じ大分類に属する番組ジャンルでも更に中分類ごとに切換パラメータが設定されていてもよい。
【００２０】
切換パラメータは、テーブルＴ２に示すように、例えば優先放送方式及び切換タイプを示すものである。優先放送方式は、優先して視聴すべき放送方式を示しており、１２セグ又は１セグのいずれかに設定される。
例えば、「ドキュメンタリー／教養」等、高品質の映像で視聴されるのが好ましいと思われる番組ジャンルは、優先放送方式が１２セグに設定される。一方、「ニュース／報道」等、画質よりも受信の継続性を重視するのが好ましいと思われる番組ジャンルは、優先放送方式が１セグに設定される。
【００２１】
切換タイプは、抑制切換又は即時切換のいずれかに設定される。抑制切換は、受信状態の持続的な変化を、切換の判定の際に考慮するモードである。即時切換は、受信状態の瞬時的な変化を、切換の判定の際に考慮するモードである。切換タイプの詳細については、後述の図６に示す処理にて説明する。
【００２２】
適合判定部４３は、受信状態情報を用いて、受信状態が視聴中の放送方式に適合しているかを判定する。受信状態情報は、例えば、ＯＦＤＭ復調部３がその処理過程で検出可能なパケットエラーレート又はビットエラーレートである。適合判定部４３は、パケットエラーレート又はビットエラーレートを、予め設定された第１閾値と比較して、判定を行う。当該第１閾値は、１２セグに適した受信状態でパケットエラーレート又はビットエラーレートが取り得る値と、１セグに適した受信状態でパケットエラーレート又はビットエラーレートが取り得る値との境目付近に設定される。適合判定部４３による判定結果は、一致判定部４４に出力される。
【００２３】
一致判定部４４は、視聴中の放送方式が、パラメータ設定部４２により処理に用いる切換パラメータとして設定された切換パラメータに示される優先放送方式に一致しているかを判定する。一致判定部４４による判定結果は、切換判定部４５に出力される。
【００２４】
切換判定部４５は、パラメータ設定部４２により処理に用いる切換パラメータとして設定された切換パラメータに示される切換タイプが抑制切換であるか即時切換であるかを考慮して、切換が必要かを判定する。切換判定部４５による判定結果は、切換指示部４６に出力される。
【００２５】
切換指示部４６は、切換判定部４５が切換必要と判定した場合に、視聴中の一方の放送方式から、視聴中ではない他方の放送方式への切換を指示する信号を出力する。当該信号は、移動体受信機１の各部、例えばデコード部５に出力される。１２セグと１セグとでは、符号化形式が異なるため、それぞれの形式に対応するデコード処理を切換える必要があるからである。これにより、例えば視聴中の放送方式が１セグであったならば、１２セグによる視聴に切換わる。
【００２６】
パラメータ受付部４７は、ユーザによる番組ジャンルに対応した切換パラメータの入力を受け付ける。例えば、ユーザ操作機１３０を操作してユーザが希望する場合に、図３中のセルＸが空欄となった切換パラメータテーブルの画像が出力機１２０に表示されて、ユーザは、切換パラメータＡ〜ＤのいずれかをセルＸに入力する。ユーザがどの切換パラメータを選んだかは、ユーザ操作機１３０及び操作受付部７を介して、ユーザ操作信号としてパラメータ受付部４７に入力される。パラメータ受付部４７は、当該ユーザ操作信号に基づき、記憶部６に格納された切換パラメータテーブルを書き換える。
【００２７】
制御部４のハードウェア構成例について、図４Ａ及び図４Ｂを用いて説明する。
制御部４の受信処理部４１、パラメータ設定部４２、適合判定部４３、一致判定部４４、切換判定部４５、切換指示部４６及びパラメータ受付部４７の各機能は、処理回路により実現される。当該処理回路は、専用のハードウェアであっても、メモリに格納されるプログラムを実行するＣＰＵ（Ｃｅｎｔｒａｌ  Ｐｒｏｃｅｓｓｉｎｇ  Ｕｎｉｔ）であってもよい。ＣＰＵは、中央処理装置、処理装置、演算装置、マイクロプロセッサ、マイクロコンピュータ、プロセッサ、ＤＳＰ（Ｄｉｇｉｔａｌ  Ｓｉｇｎａｌ  Ｐｒｏｃｅｓｓｏｒ）とも呼ばれる。
【００２８】
図４Ａは、制御部４の各部の機能を、専用のハードウェアである処理回路１００で実現した場合のハードウェア構成例を示す図である。処理回路１００は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）、またはこれらを組み合わせたものが該当する。受信処理部４１、パラメータ設定部４２、適合判定部４３、一致判定部４４、切換判定部４５、切換指示部４６及びパラメータ受付部４７の各部の機能を別個の処理回路１００を組み合わせて実現してもよいし、各部の機能を１つの処理回路１００で実現してもよい。
【００２９】
図４Ｂは、制御部４の各部の機能を、メモリ１０１に格納されるプログラムを実行するＣＰＵ１０２で実現した場合のハードウェア構成例を示す図である。この場合、受信処理部４１、パラメータ設定部４２、適合判定部４３、一致判定部４４、切換判定部４５、切換指示部４６及びパラメータ受付部４７の各部の機能は、ソフトウェア、ファームウェア、またはソフトウェアとファームウェアとの組合せにより実現される。ソフトウェア及びファームウェアはプログラムとして記述され、メモリ１０１に格納される。ＣＰＵ１０２は、メモリ１０１に格納されたプログラムを読み出して実行することにより、制御部４の各部の機能を実現する。すなわち、制御部４は、後述する図５、図６、図１０及び図１１のフローチャートで示すステップＳＴ１〜ＳＴ２３が結果的に実行されることになるプログラム等を格納するためのメモリ１０１を有する。また、これらのプログラムは、制御部４の各部の手順又は方法をコンピュータに実行させるものであるとも言える。ここで、メモリ１０１は、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）等の、不揮発性又は揮発性の半導体メモリ、磁気ディスク、フレキシブルディスク、光ディスク、コンパクトディスク、ミニディスク、ＤＶＤ（Ｄｉｇｉｔａｌ  Ｖｅｒｓａｔｉｌｅ  Ｄｉｓｃ）等が該当する。
【００３０】
なお、制御部４の各部の機能について、一部を専用のハードウェアで実現し、一部をソフトウェアまたはファームウェアで実現するようにしてもよい。例えば、受信処理部４１、パラメータ設定部４２、切換指示部４６及びパラメータ受付部４７については専用のハードウェアとしての処理回路でその機能を実現し、適合判定部４３、一致判定部４４及び切換判定部４５については処理回路がメモリに格納されたプログラムを読み出して実行することによってその機能を実現することが可能である。
【００３１】
このように、処理回路は、ハードウェア、ソフトウェア、ファームウェアまたはこれらの組合せによって、上記の制御部４の各機能を実現することができる。
また、チューナ部２、ＯＦＤＭ復調部３、デコード部５及び操作受付部７についても、制御部４と同様に図４Ａ及び図４Ｂのように構成することができる。記憶部６は、上記のメモリ１０１と同様にＲＡＭ等で構成される。
【００３２】
次に、上記のように構成された移動体受信機１による処理の一例について、図５及び図６に示すフローチャートを用いて説明する。
図５は、ユーザが視聴を希望する番組を選択してから、切換パラメータが設定されるまでの処理を示す。
まず、受信処理部４１が、ユーザが操作したユーザ操作機１３０から出力されたユーザ操作信号を操作受付部７を介して取得する。すると、受信処理部４１は、チューナ部２に制御信号を出力し、当該ユーザ操作信号が示す放送局を選局させる（ステップＳＴ１）。このとき、ユーザ操作信号には、１２セグと１セグのどちらの放送方式での視聴をユーザが希望しているかの情報も含まれている。または、デフォルトで自動的にどちらかの放送方式での視聴が開始される設定となっていてもよい。
【００３３】
続いて、パラメータ設定部４２が、受信処理部４１が出力したＥＩＴ情報を用いて、視聴中の番組ジャンルを取得する（ステップＳＴ２）。
続いて、パラメータ設定部４２が、記憶部６から切換パラメータテーブルを読み出して取得する（ステップＳＴ３）。
続いて、パラメータ設定部４２が、ステップＳＴ２により取得した視聴中の番組ジャンルに対応する切換パラメータを、ステップＳＴ３により取得した切換パラメータテーブルから抽出する（ステップＳＴ４）。
続いて、パラメータ設定部４２が、ステップＳＴ４により抽出した切換パラメータを、視聴中の番組に対する切換パラメータとして設定する（ステップＳＴ５）。
これらステップＳＴ２〜ステップＳＴ５により、パラメータ設定部４２は、視聴中の番組に対応した切換パラメータを、処理に用いる切換パラメータとして設定する。
【００３４】
図６は、図５に示す処理の後に行われる処理である。
まず、適合判定部４３が、受信状態情報をＯＦＤＭ復調部３から取得する（ステップＳＴ１０）。この処理は、周期的、例えば１秒に１回程度行われる。
続いて、適合判定部４３は、取得した受信状態情報が示す受信状態が、視聴中の放送方式に適合しているかを判定する（ステップＳＴ１１）。
【００３５】
受信状態が視聴中の放送方式に適合している場合（ステップＳＴ１１；ＹＥＳ）、放送方式の切換は行われずに処理が終わる。
一方、受信状態が視聴中の放送方式に適合していない場合（ステップＳＴ１１；ＮＯ）、一致判定部４４は、視聴中の放送方式が、ステップＳＴ５により設定された切換パラメータが示す優先放送方式に一致しているかを判定する（ステップＳＴ１２）。
【００３６】
視聴中の放送方式が、優先放送方式に一致している場合（ステップＳＴ１２；ＹＥＳ）、放送方式の切換は行われずに処理が終わる。
一方、視聴中の放送方式が、優先放送方式に一致していない場合（ステップＳＴ１２；ＮＯ）、切換判定部４５は、ステップＳＴ５により設定された切換パラメータが示す切換タイプが、即時切換であるかを判定する（ステップＳＴ１３）。
切換タイプが即時切換である場合（ステップＳＴ１３；ＹＥＳ）、切換判定部４５は、放送方式の切換が必要であると判定する（ステップＳＴ１４）。切換判定部４５により放送方式の切換が必要であると判定されると、切換指示部４６が放送方式の切換を指示する信号を出力し、放送方式が切換わる。
【００３７】
一方、切換タイプが抑制切換である場合（ステップＳＴ１３；ＮＯ）、切換判定部４５は、受信状態情報を設定時間分だけ取得する（ステップＳＴ１５）。つまり、切換判定部４５は、適合判定部４３を介して、受信状態情報をＯＦＤＭ復調部３から設定時間分だけ取得してから、次のステップＳＴ１６へ移る。または、適合判定部４３が、ＯＦＤＭ復調部３から取得した受信状態情報を記憶部６に蓄積するように構成して、切換判定部４５は、既に蓄積されている受信状態情報の履歴から、設定時間分の受信状態情報を取得するようにしてもよい。
【００３８】
続いて、切換判定部４５は、ステップＳＴ１５によって経時的に得られた設定時間分の複数の受信状態情報を用いて、受信状態が視聴中の放送方式に持続的に不適合であるかを判定する（ステップＳＴ１６）。切換判定部４５は、例えば、設定時間分のパケットエラーレート又はビットエラーレートの平均値を第２閾値と比較することで、持続的に不適合であるかを判定する。第２閾値は、第１閾値と同じ値でもよいし、違う値であってもよい。あるいは、設定時間内でパケットエラーレート又はビットエラーレートが第１閾値を超えた又は下回った時間が、どれだけ続いたかによって、持続的に不適合であるかを判定してもよい。あるいは、設定時間内で第１閾値を超えた又は下回ったパケットエラーレート又はビットエラーレートの個数によって、持続的に不適合であるかを判定してもよい。
【００３９】
受信状態が視聴中の放送方式に持続的に不適合である場合（ステップＳＴ１６；ＹＥＳ）、切換判定部４５は、放送方式の切換が必要であると判定する（ステップＳＴ１４）。切換判定部４５により放送方式の切換が必要であると判定されると、切換指示部４６が放送方式の切換を指示する信号を出力し、放送方式が切換わる。
一方、受信状態が視聴中の放送方式に持続的に不適合であるとは言えない場合（ステップＳＴ１６；ＮＯ）、放送方式の切換は行われずに処理が終わる。
つまり、抑制切換では、受信状態が視聴中の放送方式に不適合な状況が持続的であれば放送方式は切換わるが、当該状況が瞬時的なものであれば放送方式は切換わらない。一方、即時切換は、当該状況が瞬時的なものであっても放送方式が切換わる。
以上の図６を用いて説明した処理は、周期的に行われる。
【００４０】
なお、制御部４は、パラメータ受付部４７を備えずに、製品出荷時に記憶部６に格納されている切換パラメータテーブルをそのまま使うものとしてもよい。後述の実施の形態２でも同様である。
また、上記では、ＩＳＤＢ−Ｔ規格の地上デジタルテレビ放送を例に挙げ、第１の放送方式を１セグ、第２の放送方式を１２セグとした。しかしながら、第１の放送方式をＣMＭＢ（Ｃｈｉｎａ  Ｍｕｌｔｉｍｅｄｉａ  Ｍｏｂｉｌｅ  Ｂｒｏａｄｃａｓｔｉｎｇ）、第２の放送方式をＤＴＭＢ（Ｄｉｇｉｔａｌ  Ｔｅｒｒｅｓｔｒｉａｌ  Ｍｕｌｔｉｍｅｄｉａ  Ｂｒｏａｄｃａｓｔ）として受信する移動体受信機１としてもよい。要は、移動体受信機１は、第１の放送方式と、第１の放送方式と同じ内容の番組を放送し第１の放送方式よりも高品位な第２の放送方式とを、切換えることができるものであればよい。後述の実施の形態２でも同様である。
【００４１】
以上のように、この実施の形態１に係る移動体受信機１は、１２セグと１セグのどちらの放送方式でユーザに視聴させるのかを、視聴中の番組ジャンルだけを基準に決定するのではなく、受信状態も考慮して決定する。これにより、移動体受信機１は、受信状態が悪い場合でも１２セグメント放送へ切換わったり、反対に受信状態が良い場合でも１セグメント放送へ切換わったりしてしまう事態を減らしながら、番組ジャンルに応じた放送方式での視聴を可能とするので、ユーザにとって利便性が良い。
【００４２】
また、ユーザによる番組ジャンルに対応した切換パラメータの入力を受け付けるパラメータ受付部４７を備えることとした。これにより、ユーザは、自分の好みに応じた切換パラメータを設定することができる。
【００４３】
また、第１の放送方式は１セグメント放送であり、第２の放送方式は１２セグメント放送であることとした。このように、移動体受信機１は、例えばＩＳＤＢ−Ｔ規格の地上デジタルテレビ放送用の受信機として使うことができる。
【００４４】
また、移動体受信機１は、車両に搭載されていることとした。このように、移動体受信機１は、車両に搭載して使うことができる。
【００４５】
実施の形態２．
実施の形態１では、番組ジャンルに対応して切換パラメータが設定されていた。実施の形態２では、番組ジャンルに対応して設定された切換パラメータが、車両情報に対応した切換パラメータに変更される場合について説明する。
図７に、この発明の実施の形態２に係る移動体受信機１の構成図を示す。なお、実施の形態１で既に説明した構成と同一又は相当する機能を有する構成については、同一の符号を付し、その説明を省略又は簡略化する。
【００４６】
移動体受信機１は、車両センサ１４０と接続される。
車両センサ１４０は、例えばＥＣＵ（Ｅｌｅｃｔｒｏｎｉｃ  Ｃｏｎｔｒｏｌ  Ｕｎｉｔ）であり、シフトレバーの位置及び車速を示す情報等を制御部４に出力する。
パラメータ設定部４２は、視聴中の番組ジャンルに対応して設定された切換パラメータを、車両情報に対応した切換パラメータに必要に応じて変更して、処理に用いる切換パラメータを設定し直す。
【００４７】
実施の形態２の記憶部６には、図８に示すような切換パラメータテーブルが格納されている。テーブルＴ１には、実施の形態１で示したものと異なり、車両情報に対応した切換パラメータへの変更を許可するか否かを示す車両情報有効性が設定されている。車両情報有効性は、番組ジャンルごとに設定されている。
車両情報有効性がＯＮに設定されている場合、車両情報に対応した切換パラメータへの変更が許可される。一方、車両情報有効性がＯＦＦに設定されている場合、車両情報に対応した切換パラメータへの変更は行われない。
【００４８】
図９は、車両情報に対応した切換パラメータを示すテーブルＴ３の一例である。車両状態と車速と受信状態との組み合わせに応じて、切換パラメータが設定されている。受信状態は、車両がどこにいるかによって大きく影響を受けるので、車両情報に含まれている。例えば、車両状態が停車で受信状態が良の場合は、優先放送方式が１２セグとなる切換パラメータＡが対応するが、車両状態が停車でも受信状態が悪の場合は、優先放送方式が１セグとなる切換パラメータＤが対応する。
実施の形態２の切換パラメータテーブルは、図８に示すテーブルＴ１，Ｔ２及び図９に示すテーブルＴ３から構成されている。
なお、車両情報有効性及び車両情報に対応した切換パラメータは、実施の形態１と同様に、パラメータ受付部４７を介してユーザによる変更が可能である。
【００４９】
次に、上記のように構成された実施の形態２の移動体受信機１による処理の一例について、図１０及び図１１に示すフローチャートを用いて説明する。図１０に示す処理は、既に説明した図５に示す処理の後に、周期的に行われる処理である。図６を用いて既に説明した処理と同一又は相当する処理が行われるステップについては、同一の符号を付し、その説明を省略又は簡略化する。
【００５０】
受信状態が視聴中の放送方式に適合していない場合（ステップＳＴ１１；ＮＯ）、パラメータ設定部４２が、切換パラメータを変更する処理を行う（ステップＳＴ２０）。
図１１は、ステップＳＴ２０の詳細を示したフローチャートである。
まず、パラメータ設定部４２が、記憶部６から切換パラメータテーブルを読み出し、視聴中の番組ジャンルに対応する車両情報有効性がＯＮであるかを判定する（ステップＳＴ２１）。
車両情報有効性がＯＦＦである場合（ステップＳＴ２１；ＮＯ）、パラメータ設定部４２は、切換パラメータを変更せずにステップＳＴ２０の処理を終えて、ステップＳＴ１２へ移る。
【００５１】
一方、車両情報有効性がＯＮである場合（ステップＳＴ２１；ＹＥＳ）、パラメータ設定部４２が、車両情報を取得する（ステップＳＴ２２）。車両情報に含まれる車両状態は、停車又は走行のいずれかを示すものであり、車両センサ１４０が出力するシフトレバーの位置に基づくものである。また、車両情報に含まれる車速は、低速又は高速を示すものであり、車両センサ１４０が出力する車速を、パラメータ設定部４２が第３閾値と比較して、低速又は高速であるかを取得する。また、車両情報に含まれる受信状態は、ＯＦＤＭ復調部３が出力する受信状態情報に基づくものである。つまり、パラメータ設定部４２は、パケットエラーレート又はビットエラーレートを第４閾値と比較して、受信状態の良し悪しを取得する。第４閾値は、第１閾値と同じ値でもよいし、違う値であってもよい。
【００５２】
続いて、パラメータ設定部４２が、切換パラメータテーブルを用いて、ステップＳＴ２２で取得した車両情報に対応する切換パラメータを抽出し、当該切換パラメータを処理に用いる切換パラメータとして設定し直す（ステップＳＴ２３）。
ステップＳＴ２３の後は、パラメータ設定部４２はステップＳＴ２０の処理を終えて、ステップＳＴ１２へ移る。実施の形態２では、ステップＳＴ２３で設定した切換パラメータを用いて、ステップＳＴ１２以降の処理が行われる。
【００５３】
以上のように、この実施の形態２に係る移動体受信機１は、実施の形態１で示した処理に加え、車両情報有効性がＯＮの場合に、車両情報に対応した切換パラメータに変更する処理を行う。これにより、実施の形態１の効果に加え、車両状態に応じた放送方式での視聴をも可能とするので、ユーザにとって利便性が良い。
【００５４】
また、ユーザによる車両情報に対応した切換パラメータの入力を受け付けるパラメータ受付部４７を備えることとした。これにより、ユーザは、自分の好みに応じた切換パラメータを設定することができる。
【００５５】
なお、本願発明はその発明の範囲内において、各実施の形態の自由な組み合わせ、あるいは各実施の形態の任意の構成要素の変形、もしくは各実施の形態においての任意の構成要素の省略が可能である。
【産業上の利用可能性】
【００５６】
以上のように、この発明に係る移動体受信機は、受信状態も考慮して番組ジャンルに応じた放送方式に切換えることができるので、例えばＩＳＤＢ−Ｔ規格の地上デジタルテレビ放送を受信する受信機として車両等に搭載して用いるのに適している。
【符号の説明】
【００５７】
１  移動体受信機、２  チューナ部、３  ＯＦＤＭ復調部、４  制御部、５  デコード部、６  記憶部、７  操作受付部、４１  受信処理部、４２  パラメータ設定部、４３  適合判定部、４４  一致判定部、４５  切換判定部、４６  切換指示部、４７  パラメータ受付部、１００  処理回路、１０１  メモリ、１０２  ＣＰＵ、１１０  アンテナ、１２０  出力機、１３０  ユーザ操作機、１４０  車両センサ。
【図１】
2018078689.tif 000003
【図２Ａ】
2018078689.tif 000004
【図２Ｂ】
2018078689.tif 000005
【図２Ｃ】
2018078689.tif 000006
【図２Ｄ】
2018078689.tif 000007
【図２Ｅ】
2018078689.tif 000008
【図２Ｆ】
2018078689.tif 000009
【図２Ｇ】
2018078689.tif 000010
【図２Ｈ】
2018078689.tif 000011
【図３】
2018078689.tif 000012
【図４】
2018078689.tif 000013
【図５】
2018078689.tif 000014
【図６】
2018078689.tif 000015
【図７】
2018078689.tif 000016
【図８】
2018078689.tif 000017
【図９】
2018078689.tif 000018
【図１０】
2018078689.tif 000019
【図１１】
2018078689.tif 000020
【国際調査報告】
2018078689.tif 000021
2018078689.tif 000022
2018078689.tif 000023
2018078689.tif 000024